(57)【要約】【課題】インターネット通信でホームページをリンク結合（提携）して提携先同士が収益を上げ、楽しく自動的に連続してｂａｃｋ  ｍｕｓｉｃを聴きながらホームページを見るシステム技術を提供する。【解決手段】ホームページリンク結合（提携）でホームページのフレーム分割（６分割）を行い、リンク時のターゲット属性の「同一ウィンドウ」「同一ウィンドウ」、「全画面」の属性の使いわけけることが大切である。または  自動的に連続してｂａｃｋ  ｍｕｓｉｃを聴きながらホームページ同士を効率よく、リンク提携しあえば、ホームページが気分よく、見ることができる。  また  繰返して流れる為に、仕事をやりながら、気分よく仕事ができる。また  企業間または個人の営業がしやすくなりより提携先同士で収益を上げることができるようになる。また楽しくリクエストができるインターネット通信のホームページリンク結合システム開発方法。【選択図】図１
2008152505.tif 000002
【特許請求の範囲】
【請求項１】
ホームページフレーム分割を行い、容易にリンク統合を提供することを特徴とするインターネットリンク通信開発手法。
【請求項２】
自動的に連続して歌（ｂａｃｋ  ｍｕｓｉｃ）を聴きながら楽しくホームページをみることができることを特徴とするインターネットリンク通信開発手法。
【請求項３】
リクエストが簡単にできることを、特徴とするインターネットリンク通信開発手法。
【請求項４】
背景を一元管理して、追加、修正等を簡単にできることを、特徴とするインターネットリンク通信開発手法。
【請求項５】
ＣＤ購入が一元管理の為、容易にできることを、特徴とするインターネットリンク通信開発手法。
【請求項６】
奨励企業リンク（Ａ１４１）で、奨励企業のホームページへリンクしても、自動的に歌が流れ，  フレーム分割ページ（Ａ１０１〜Ａ１０５）がそのまま、相手側（奨励企業）も使え、  また  歌手リンク（Ａ１３６）も同様に歌手側で使用できることを、特徴とするインターネットリンク通信開発手法。
【請求項７】
請求項１〜６いずれか記載のホームページリンク結合は、業務に関係なく開発ができることを特徴とするインターネットリンク通信開発手法。
【発明の詳細な説明】
【技術分野】
【０００１】
本発明は、歌のホームページと他人のホームページを統合して（リンク統合）自動的に連続して、歌を聴きながらのホームページを楽しく見るホームページリンク統合である。また  リクエストが簡単にできるホームページリンク結合である。なお、本発明は業務に関係なく適用することができるものである。
【背景技術】
【０００２】
従来、歌のホームページと他人のホームページを統合（リンク統合）して自動的に連続して歌（ｂａｃｋ  ｍｕｓｉｃ）が流れるホームページにする開発は考えられなかった。  
【０００３】
【特許文献１】特開２００３−１７７９１４号公報
【０００４】
また近年、歌のホームページ  又は  ホームページの数は年々ふえてきている。
【０００５】
しかしながら、歌のホームページと他人のホームページを統合（リンク統合）して自動的に連続して歌（ｂａｃｋ  ｍｕｓｉｃ）が流れるホームページを開発するには至っていない。
【０００６】
一方、最近における日本経済は企業と提携して無駄なお金をかけず企業  又は個人がより早く企業、個人と契約を結び、よりよいホームページ作成して、より早くホームページ上で商売を行うという方法がますます必要になる。
【０００７】
他方、無駄なお金をかけず、よりよいホームページの作成等が種々提案されているが、いずれも十分なものではなかった。
【０００８】
このように、現在までに提案されているインターネットのシステムの開発方法は自社分のホームページを作成するのみで、いまだ、ホームページリンクの有効活用にはいたっていない。
【発明の開示】
【発明が解決しようとする課題】
【０００９】
しかしながら、以上の技術によれば、開発費をあまりかけずインターネット音楽配信を利用して、各ホームページ同士のリンクを行い、ホームページの有効活用のソフト開発する方法は考えられなかった。
【００１０】
そこで、本発明は、ホームページの統合（リンク統合）を容易にして自動的に連続して歌（ｂａｃｋ  ｍｕｓｉｃ）が流れるホームページリンク、また  リクエストが簡単できるホームページリンク結合、ＣＤ購入が簡単できるホームページリンク結合、並びにシステム開発することを提供することを課題とする。
【００１１】
また、ホームページの統合（リンク統合）で、より営業がしやすくなることを提供することを課題とすることを特徴とするインターネットリンク通信開発手法
【課題を解決するための手段】
【００１２】
以上の課題を解決するために、第一発明は、ホームページフレーム分割を行い、容易に歌のホームページと他人のホームページリンク統合して自動的に連続して歌が流れることを提供することを特徴とするインターネットリンク通信開発システムで有る。
【００１３】
また、第二発明は、自動的に連続して歌（ｂａｃｋ  ｍｕｓｉｃ）を聴きながら楽しくホームページを見ることが、できることを提供することを特徴とするインターネットリンク通信開発システムで有る。
【００１４】
また、第三発明は、ホームページ同士がリンク結合でリクエストが簡単できることを、提供することを特徴とするインターネットリンク通信開発システムで有る。
【００１５】
また、第４発明は、背景を一元管理して、追加、修正等を簡単にしたできることを、提供することを特徴とするインターネットリンク通信開発システムで有る。
【００１６】
また、第５発明は、ＣＤ購入が一元管理の為、容易にできることを、特徴とするインターネットリンク通信開発システムで有る。
【００１７】
また、第６発明は、奨励企業リンク（Ａ１４１）で、奨励企業のホームページへリンクしても、自動的に歌が流れ，  フレーム分割ページ（Ａ１０１〜Ａ１０５）がそのまま、相手側（奨励企業）も使えことを特徴とするインターネットリンク通信開発システムで有る。  また  歌手リンク（Ａ１３６）も同様に歌手側で使用できることを、特徴とするインターネットリンク通信開発システムで有る。
【発明の効果】
【００１８】
以上説明したように、本発明のホームページリンク統合によれば、下記の今までにない効果を奏するものである。
【００１９】
歌のホームページと他人のホームページを結合（提供）すれば、ホームページが営業に使えるようになり、収益が上がるようになる。
【００２０】
自動的に連続して歌（ｂａｃｋ  ｍｕｓｉｃ）が流れてホームページリンクができ、楽しくホームページを見ることができる。
【００２１】
一元管理なので、リクエスト、カレンダー、ＣＤ購入が容易にできる。
【００２２】
自動的に連続して歌（ｂａｃｋ  ｍｕｓｉｃ）が流れて、音楽を聴きながら仕事をすると、仕事の効率が上がる。
【００２３】
歌手リンク（Ａ１３６）で、歌手のホームページへリンクしても、自動的に歌が流れます。  ターゲットはＡ１０６にしておいて、歌手のホームページをＡ１０６に表示します。フレーム分割ページ（Ａ１０１〜Ａ１０５）がそのまま、相手側（歌手）も使えて、便利です。
【００２４】
奨励企業リンク（Ａ１４１）で、奨励企業のホームページへリンクしても、自動的に歌が流れます。  ターゲットはＡ１０６にしておいて、奨励企業のホームページをＡ１０６に表示します。フレーム分割ページ（Ａ１０１〜Ａ１０５）がそのまま、相手側（奨励企業）も使えて、便利です。
【００２５】
ｗｅｂ系は世界的なものなので、仮想的考えが先走り、頭脳が片寄るため、音楽で片寄らないようになる。
【００２６】
これからのホームページのリンク産業として全国に派生する。
【発明を実施するための最良の形態】
【００２７】
図面に基づいて、本発明の実施の形態を説明する。
【実施例】
【００２８】
本発明の概念と作用は本人のホームページ：ＵＲＬ
ＵＲＬ：ｈttp://homepage2.nifty.com/urltokyo/framepage108.htmlで、イメージ確認は、できるもので有る。
なお  インターネット音楽配信の代表的なファイル名はＸＸＸＸＸ．Ｗａｘ  ＸＸＸＸＸ．ａｓｘ  ＸＸＸＸＸ．ＷＭＡである
【００２９】
また  インターネット音楽配信はダウンロードしてマルチメデイアＭＣＩ（ＸＸＸＸＸ．Ａｓｘ）で聴くとして  説明を行う。
【００３０】
また  マルチメデイアＭＣＩ（ＸＸＸＸＸ．Ａｓｘ）をインターネット音楽配信の呼び名で、説明を行う。
【００３１】
また  当説明の前に、リンクする時の、属性のターゲット（Ｔ）の説明を行う。主に使用するリンクターゲットを説明する。
【００３２】
「新しいウィンドウ」は新しくウィンドウが作成されて、ページを最大にする事ができ、背景のみのページである。
【００３３】
「同一ウィンドウ」は同一ページ内にページが表示される。
【００３４】
「全画面」は全画面がウィンドウに表示される。
【００３５】
「フレーム名」は日経ＴＶはＡ１０６を指定して日経ＴＶのみ見るようにする。
【００３６】
背景（Ａ１１５、Ａ１２８，Ａ１２９，Ａ１３０）は、リンクターゲットは、「新しいウィンドウ」で設定しておく。
【００３７】
マルチ処理用（Ａ１１６）は同時に複数処理をしたい時に、使用します。
【００３８】
ｂａｃｋ  ｍｕｓｉｃは、どのページでも自動的にインターネット音楽配信（Ａ１３５）より流れます。
【００３９】
図１は、本発明の概念と作用を示す図である。
【００４０】
同図に示すように、本システムの概念は、
ホームページのフレーム６分割（Ａ１０１，Ａ１０２、Ａ１０３、Ａ１０４、Ａ１０５，Ａ１０６）を行い、インターネット音楽配信等を利用してホームページのリンク結合を行い、back ｍｕｓｉｃ（Ａ１３５）が自動的に連続して流れる。  背景を見ながらback ｍｕｓｉｃ（Ａ１１０）を聴きたい時は、背景（Ａ１１５，Ａ１２８，Ａ１２９，Ａ１３０）をクリックすると、背景項目が表示されます。
【００４１】
また  フレーム毎に出力するのと、ページ出力（Ａ１０６）が有りますが，本発明はページ出力で説明する。
【００４２】
図１の、本発明の詳細を説明する。
【００４３】
ホームページが表示されると、自動的にｂａｃｋ  ｍｕｓｉｃ（Ａ１３５）が流れる。
【００４４】
戻り（Ａ１０８）は図２のページが出て、戻りページを選択します。
【００４５】
また  プログラムで戻りを決めてもよろしいです。
【００４６】
リクエスト（Ａ１０９）は図２のページが出て、リクエストページを選択します。
【００４７】
また  リクエスト（Ａ１０９）では、回数（Ｂ１３７）をカウントアップします。
【００４８】
問い合わせ（Ａ１１０）は問い合わせのホームページです。
【００４９】
アンケート（Ａ１１１）はアンケートのホームページです。
【００５０】
リクエスト（Ａ１１２）はリクエストのホームページです。
【００５１】
ＣＤ購入（Ａ１１３）はＣＤ購入のホームページです。
【００５２】
カレンダー（Ａ１１４）はカレンダーのホームページです。
【００５３】
背景（Ａ１１５，Ａ１２８，Ａ１２９，Ａ１３０）は背景のホームページです。
【００５４】
なお  ｂａｃｋ  ｍｕｓｉｃが自動的に流れるホームページは、歌をｏｆｆにしておきます。
【００５５】
フレーム分割ページ（上側右）（Ａ１０２）を違うページにしたい時は、フレーム分割ページ（左側上）（Ａ１０３）を使用してページを前後移動します。
【００５６】
フレーム分割ページ（左側下）（Ａ１０５）を違うページにしたい時は、フレーム分割ページ（左側中）（Ａ１０４）を使用してページを前後移動します。
【００５７】
また  フレーム分割ページ（左側下）（Ａ１０５）を違うページにしたい時は、Ａ１０５ｓｅｌｅｃｔボタン（Ａ１２７）を使用してページを前後移動します。
【００５８】
フレーム分割ページ（中央）（Ａ１０６）のページを前後に移動する時、使用します。
【００５９】
フレーム分割ページ（中央）（Ａ１０６）のページを前後に移動する時、使用します。
【００６０】
Ａ１０６ページｂａｃｋ（Ａ１３１）は前の背景がでます。
【００６１】
Ａ１０６ページｎｅｘｔ（Ａ１３２）は後の背景がでます。
【００６２】
前ページ（Ａ１３３）は前ページの歌が流れます。
【００６３】
後ページ（Ａ１３４）は次のページの歌が流れます。
【００６４】
インターネット音楽配信（Ａ１３５）より、自動的に歌が流れます。
【００６５】
歌手リンク（Ａ１３６）で、歌手のホームページへリンクしても、自動的に歌が流れます。  ターゲットはＡ１０６にしておいて、歌手のホームページをＡ１０６に表示します。フレーム分割ページ（Ａ１０１〜Ａ１０５）がそのまま、相手側（歌手）も使える。
【００６６】
奨励企業リンク（Ａ１４１）で、奨励企業のホームページへリンクしても、自動的に歌が流れます。  ターゲットはＡ１０６にしておいて、奨励企業のホームページをＡ１０６に表示します。フレーム分割ページ（Ａ１０１〜Ａ１０５）がそのまま、相手側（奨励企業）も使える。
【００６７】
歌詞（Ａ１３９）をリンクして、歌詞を見ながら歌を覚える。
【００６８】
試聴（Ａ１３９）をリンクして、歌を聴きます。
【００６９】
企業名（Ａ１４０）は企業にリンクして、歌を聴きながらホームページを見ます。
【００７０】
上記の組合せで楽しく歌を聴きながらホームページを見ます。
【００７１】
図２は、本発明の概念と作用を示す図である。
【００７２】
同図に示すように、本システムの概念は、
ホームページのフレーム６分割（Ｂ１０１，Ｂ１０２、Ｂ１０３、Ｂ１０４、Ｂ１０５，Ｂ１０６）を行い、ページの戻り、リクエストを決めます。
【００７３】
図２の、本発明の詳細を説明する。
【００７４】
図２のＢ１００〜Ｂ１３０は図１のＡ１００〜Ａ１３０に対応した同一機能です。
【００７５】
曲番（Ｂ１３１）をクリックすると、指定したページへ飛びます。
【００７６】
なお  回数（Ｂ１３７）は、条件によりカウントアップします。
【００７７】
また  １００万件データにも耐えられるように、歌手マスターから表示するのもよろしいです。
【００７８】
歌手マスターは曲番（キー）、歌手、作詞、作曲通、編曲、歌い出し、回数のレコードレイアウトイメージで構成されております。
【００７９】
また  必要で有れば歌詞マスターから歌詞を取得して表示する。曲番（キー）、歌手、歌詞のレコードレイアウトイメージで構成されております。
【００８０】
以上説明した本発明のｎｏｎｓｔｏｐ  ｂａｃｋ  ｍｕｓｉｃは、インターネット配信のみじゃなくて販売されているＣＤを設置することも可能である。
【００８１】
属性のターゲット（Ｔ）を「新しいウィンドウ」以外にも組合せていろいろな表示方法もあります。全画面、親ウィンドウ、同一ウィンドウ等があり、組合せておこない、楽しく作ることができる。
【００８２】
また  フレーム分割のフレーム属性の設定して楽しくホームページを作ることができる。
【００８３】
また  ｓｅｌｅｃｔボタン、ラジオボタン等を使用しながら楽しくホームページを作ることができる。
【００８４】
また  縁起を担ぐホームページなら背景機能にお寺なんかのリンクなんかよろしいと思います。
【００８５】
以上、本発明のｎｏｎｓｔｏｐ  ｂａｃｋ  ｍｕｓｉｃを用いたシステム開発方法並びにシステムの一実施の形態について詳細に説明したが、本発明は、前記実施の形態に限定されず、本発明の要旨を逸脱しない範囲で種々変更しても差し支えない。
【００８６】
また  本発明は本人のホームページ：
ＵＲＬ：ｈttp://homepage2.nifty.com/urltokyo/framepage108.htmlでイメージ確認できます。
【図面の簡単な説明】
【００８７】
【図１】フレームホームページ６分割のフレームの概要説明図である。
【図２】フレームホームページ６分割のフレームリクエスト、戻りの概要説明図である。
【符号の説明】
【００８８】
Ａ１００：図１フレーム
Ａ１０１：図１フレーム分割ページ（上側左）
Ａ１０２：図１フレーム分割ページ（上側右）
Ａ１０３：図１フレーム分割ページ（左側上）
Ａ１０４：図１フレーム分割ページ（左側中）
Ａ１０５：図１フレーム分割ページ（左側下）
Ａ１０６：図１フレーム分割ページ（中央）
Ａ１０７：ＴＯＰページへ戻り
Ａ１０８：戻り
Ａ１０９：リクエスト
Ａ１１０：問い合わせ
Ａ１１１：アンケート
Ａ１１２：リクエスト
Ａ１１３：ＣＤ購入
Ａ１１４：カレンダー
Ａ１１５：背景
Ａ１１６：マルチ処理
Ａ１１７：日経ＴＶ
Ａ１１８：プロバイダ
Ａ１１９：Ａ１０３ページｂａｃｋ
Ａ１２０：Ａ１０３ページｎｅｘｔ
Ａ１２１：Ａ１０２ページｂａｃｋ
Ａ１２２：Ａ１０２ページｎｅｘｔ
Ａ１２３：Ａ１０４ページｂａｃｋ
Ａ１２４：Ａ１０４ページｎｅｘｔ
Ａ１２５：Ａ１０５ページｂａｃｋ
Ａ１２６：Ａ１０５ページｎｅｘｔ
Ａ１２７：Ａ１０５のｓｅｌｅｃｔボタン
Ａ１２８：背景
Ａ１２９：背景
Ａ１３０：背景
Ａ１３１：Ａ１０６ページｂａｃｋ
Ａ１３２：Ａ１０６ページｎｅｘｔ
Ａ１３３：前ページ
Ａ１３４：後ページ
Ａ１３５：インターネット音楽配信
Ａ１３６：歌手リンク
Ａ１３７：写真  又は  動画
Ａ１３９：歌詞
Ａ１３９：試聴
Ａ１４０：企業名
Ｂ１００：図１フレーム
Ｂ１０１：図１フレーム分割ページ（上側左）
Ｂ１０２：図１フレーム分割ページ（上側右）
Ｂ１０３：図１フレーム分割ページ（左側上）
Ｂ１０４：図１フレーム分割ページ（左側中）
Ｂ１０５：図１フレーム分割ページ（左側下）
Ｂ１０６：図１フレーム分割ページ（中央）
Ｂ１０７：ＴＯＰページへ戻り
Ｂ１０８：戻り
Ｂ１０９：リクエスト
Ｂ１１０：問い合わせ
Ｂ１１１：アンケート
Ｂ１１２：リクエスト
Ｂ１１３：ＣＤ購入
Ｂ１１４：カレンダー
Ｂ１１５：背景
Ｂ１１６：マルチ処理
Ｂ１１７：日経ＴＶ
Ｂ１１８：プロバイダ
Ｂ１１９：Ｂ１０３ページｂａｃｋ
Ｂ１２０：Ｂ１０３ページｎｅｘｔ
Ｂ１２１：Ｂ１０２ページｂａｃｋ
Ｂ１２２：Ｂ１０２ページｎｅｘｔ
Ｂ１２３：Ｂ１０４ページｂａｃｋ
Ｂ１２４：Ｂ１０４ページｎｅｘｔ
Ｂ１２５：Ｂ１０５ページｂａｃｋ
Ｂ１２６：Ｂ１０５ページｎｅｘｔ
Ｂ１２７：Ｂ１０５のｓｅｌｅｃｔボタン
Ｂ１２８：背景
Ｂ１２９：背景
Ｂ１３０：背景
Ｂ１３１：曲番
Ｂ１３２：歌詞
Ｂ１３３：歌手
Ｂ１３４：作詞
Ｂ１３５：作曲
Ｂ１３６：編曲
Ｂ１３７：回数
Ｂ１３８：前ページ
Ｂ１３９：後ページ
【図１】
2008152505.tif 000003
【図２】
2008152505.tif 000004